(57)【要約】 【構成】  中空筒状の本体ケース内に吸気ファンとこの吸気ファンを駆動するモータを設け、本体ケースにおけるこの吸気ファンの上流側にブラシ部を設けるとともにこのブラシ部に吸気孔を設け、且つ、本体ケースにおける吸気ファンの下流側に排気孔を設け、吸気ファンを駆動させることによって本体ケース内に吸気孔から吸引し排気孔から排気するヘアー用吸引ブラシ装置において、吸気孔をブラシ部におけるブラシとブラシとの間に配置したもの。【効果】  頭髪をブラシで梳かしながらブラシとブラシとの間に露出した花粉を前記吸気孔を介して吸引することができる。頭髪の間に付着した花粉をも容易に吸引除去することができる。吸気ファンの吸気孔側に電気ヒータ部を設けるとともにこの吸気ファンを逆回転させ排気ファンとして機能させれば、熱風を排気できるドライヤーとして使用することもできる。【選択図】    図１
0003114011.tif 000002
【実用新案登録請求の範囲】
【請求項１】
中空筒状の本体ケース内に吸気ファンとこの吸気ファンを駆動するモータを設け、前記本体ケースにおけるこの吸気ファンの上流側にブラシ部を設けるとともにこのブラシ部に吸気孔を設け、且つ、前記本体ケースにおける前記吸気ファンの下流側に排気孔を設け、前記吸気ファンを駆動させることによって前記本体ケース内に前記吸気孔から吸引し、前記排気孔から排気するヘアー用吸引ブラシ装置において、前記吸気孔を前記ブラシ部におけるブラシとブラシとの間に配置したことを特徴とするヘアー用吸引ブラシ装置。
【請求項２】
請求項１のヘアー用吸引ブラシ装置において、前記吸気ファンの前記吸気孔側に電気ヒータ部を設けるとともにこの吸気ファンを逆回転させ排気ファンとして機能させるようにしたことを特徴とするヘアー用吸引ブラシ装置。
【考案の詳細な説明】
【技術分野】
【０００１】
この考案はヘアー用吸引ブラシに関し、主として、頭髪に付着した花粉を除去する場合に使用する。
【背景技術】
【０００２】
従来、身体や衣服に付着した花粉は、ハンディ型の空気清浄機によって吸引除去し、これらの花粉が室内に侵入するのを防止していた。
【０００３】
【特許文献１】特開２００２−１５９８１５号公報
【考案の開示】
【考案が解決しようとする課題】
【０００４】
しかしながら、かかる従来の空気清浄機にあっては、吸込口で身体の表面をなぜながら吸引していたため、頭髪の間に付着した花粉は吸引しにくいという不都合を有した。
【０００５】
この考案の課題はかかる不都合を解消することである。
【課題を解決するための手段】
【０００６】
上記課題を達成するために、この考案に係るヘアー用吸引ブラシ装置においては、中空筒状の本体ケース内に吸気ファンとこの吸気ファンを駆動するモータを設け、前記本体ケースにおけるこの吸気ファンの上流側にブラシ部を設けるとともにこのブラシ部に吸気孔を設け、且つ、前記本体ケースにおける前記吸気ファンの下流側に排気孔を設け、前記吸気ファンを駆動させることによって前記本体ケース内に前記吸気孔から吸引し、前記排気孔から排気するヘアー用吸引ブラシ装置において、前記吸気孔を前記ブラシ部におけるブラシとブラシとの間に配置したものである。
【０００７】
なお、前記吸気ファンの前記吸気孔側に電気ヒータ部を設けるとともにこの吸気ファンを逆回転させ排気ファンとして機能させることもできる。
【考案の効果】
【０００８】
この考案に係るヘアー用吸引ブラシ装置は上記のように構成されているため、頭髪をブラシで梳かしながらブラシとブラシとの間に露出した花粉を前記吸気孔を介して吸引することができる。
【０００９】
よって、このヘアー用吸引ブラシ装置を使用すれば、頭髪の間に付着した花粉をも容易に吸引除去することができる。
【００１０】
なお、前記吸気ファンの前記吸気孔側に電気ヒータ部を設けるとともにこの吸気ファンを逆回転させ排気ファンとして機能させるようにすれば、熱風を排気できるドライヤーとして使用することもできる。
【考案を実施するための最良の形態】
【００１１】
この考案は、吸気孔をブラシ部におけるブラシとブラシとの間に配置したところに最も主要な特徴を有する。頭髪の間に付着した花粉を吸引するために適用しやすいものである。
【実施例】
【００１２】
図１はこの考案に係るヘアー用吸引ブラシ装置の正面断面図、図２は図１におけるII-II 線断面図、図３は図１におけるIII-III 線断面図、図４は図１におけるIV-IV 線断面図、図５は図１に相当する第二実施例の図である。
【００１３】
図１〜図４において、Ｓはヘアー用吸引ブラシ装置、10はその本体ケースである。この本体ケース10は中空筒状であり、主筒部20と補助筒部30とが連結筒部50を介して着脱可能に嵌着されている。
【００１４】
31は長窓部であり、前記補助筒部30の先端側面に形成されている。この長窓部31は筒の軸方向に延びている。60はブラシ部であり、前記長窓部31に嵌着されている。このブラシ部60は樹脂製であり、所謂、髪を梳かすためのものである。61はブラシ部60の基板であり、湾曲状に形成されている。この基板の表面にはブラシ62,62 …が一体成形され、略放射方向に延びている（図２を参照のこと）。
【００１５】
63,63,…は吸気孔であり、前記基板61における前記ブラシ62とブラシ62の間に形成されている（図２を参照のこと）。この吸気孔63,63,…は大気を前記補助筒部30、ひいては、前記本体ケース10内に吸い込むための孔である。
【００１６】
51はフィルターであり、前記連結筒部50の小筒部52に着脱可能に張設されている（図３を参照のこと）。このフィルター51は前記吸気孔63から吸い込んだ空気中の花粉や埃を除去するように目の大きさが定められている。材料は、紙, 織布, 不織布等従来存在するいかなるものでもよい。53はストッパ筒であり、網体531 が張られて要る。このストッパ筒53は前記小筒部52に着脱可能に内嵌めされ、前記フィルター51が抜け落ちるのを防止している。
【００１７】
21は軸孔であり、前記主筒部20の湾曲底の中心に形成されている。この軸孔21には電源コネクタ22を嵌着されている。23,23,…は排気孔であり、前記主筒部20の湾曲底における前記軸孔21の周辺に形成されている。この排気孔23は前記主筒部20、ひいては、前記本体ケース10内の空気を大気中に吐き出すための孔である。なお、24は前記コネクタ22の抜け落ちを防止するためのカバー体である。
【００１８】
次に、70は吸気ファンであり、前記主筒部20の底近傍に設置されている。この吸気ファン70は回転することによって前記吸気孔63から大気を吸引し、前記排気孔23から排出する。71は駆動モータであり、前記主筒部20に設置されている。この駆動モータ71は前記吸気ファン70を駆動させるためのものである。
【００１９】
72はスイッチであり、前記主筒部20の側壁に設置されている（図４を参照のこと）。このスイッチ72は前記電源コネクタ22からの電流を開閉するとともにその流量を調節して、前記駆動モータ71の作動および回転速度を調節することができる。
【００２０】
なお、80は電源コードであり、連結プラグ81を介して前記電源コネクタ22に着脱可能に接続できる。82は交流１００Ｖにつなぐための電源プラグである。
【００２１】
このように構成されるヘアー用吸引ブラシ装置Ｓを使用する場合には、前記電源コード80を交流１００Ｖにつなぎ、前記スイッチ72をＯＮにする。すると、前記駆動モータ71が作動して、前記吸引ファン70が回転する。すると、吸引ファン70の上流側（吸気孔63側）が減圧され、前記吸気孔63,63,…を介して、大気中の空気を前記本体ケース10内に吸引し、前記排気孔23から排気する。空気が本体ケース10内を通過する際に、前記フィルター51によって空気中の花粉や埃は除去される。なお、吸引力を変動させる場合には、前記スイッチ72によって前記駆動モータ71の回転速度を調節するばよい。
【００２２】
図５は、第二実施例を示したものである。
この実施例において、90は電気ヒータ部であり、前記主筒部20における前記駆動モータ71よりも前記吸気孔63側に設置されている。また、この場合、駆動モータ71は直流モータ又は逆回転可能な交流モータを使用している。直流モータを使用する場合に整流手段91によって交流を直流に整流する必要がある。交流モータを使用する場合には通常使用されている逆回転操作手段を別途に設置する事が必要である。
【００２３】
この実施例の場合、スイッチ72をＯＮにした場合、前記駆動モータ71は正回転し、第一実施例の場合と同様に吸気孔63を介して吸気作用する。この場合、前記電気ヒータ部90の電源はＯＦＦとなっている。また、前記スイッチ７2 を切り換えて、前記駆動モータ71は逆回転すると同時に前記電気ヒータ部90の電源はＯＮとなり、第一実施例の場合と異なり、前記排気孔23から吸気された空気は前記電気ヒータ部90を通過する際に熱せられ、熱風として前記吸気孔63から排気される。即ち、ドライヤーとして使用することができる。
【産業上の利用可能性】
【００２４】
この考案に係るヘアー用吸引ブラシ装置は、頭髪をブラシで梳かしながらブラシとブラシとの間に露出した花粉を前記吸気孔を介して吸引することができるため、頭髪の間に付着した花粉を容易に吸引除去する装置として利用することができる。
【図面の簡単な説明】
【００２５】
【図１】図１はこの考案に係るヘアー用吸引ブラシ装置の正面断面図である。
【図２】図２は図１におけるII-II 線断面図である。
【図３】図３は図１におけるIII-III 線断面図である。
【図４】図４は図１におけるIV-IV 線断面図である。
【図５】図５は図１に相当する第二実施例の図である。
【符号の説明】
【００２６】
Ｓ  …  ヘアー用吸引ブラシ装置
10  …  本体ケース
20  …  主筒部
21  …  軸孔
22  …  電源コネクタ
23  …  排気孔
24  …  カバー体
30  …  補助筒部
31  …  長窓部
50  …  連結筒部
51  …  フィルター
52  …  小筒部
53  …  ストッパ筒
60  …  ブラシ部
61  …  基板（ブラシ部の）
62  …  ブラシ
63  …  吸気孔
70  …  吸気ファン
71  …  駆動モータ
72  …  スイッチ
80  …  電源コード
81  …  連結プラグ
82  …  電源プラグ
90  …  電気ヒータ部
91  …  整流手段
【図１】
0003114011.tif 000003
【図２】
0003114011.tif 000004
【図３】
0003114011.tif 000005
【図４】
0003114011.tif 000006
【図５】
0003114011.tif 000007